(57)【要約】  【課題】ラベルを貼付けた際に残る台紙を有効に活用できるラベルの貼付け方法を提供する。  【解決手段】本発明のラベルの貼付け方法は、表面に剥離層を有する台紙２の剥離層側に、基材３と粘着剤層４とからなり、表面を情報表示部とするラベル片５を仮着したラベルの貼付け方法である。ラベル片５と台紙２とを剥離した後、台紙２の剥離層側を被着体３０に向け、剥離したラベル片５を台紙２裏面の一部に重ねて被着体３０に貼付け、ラベル片５の表面および台紙２裏面を情報表示部にする。【選択図】        図３
2010107865.tif 000002
【特許請求の範囲】
【請求項１】
表面に剥離層を有する台紙の剥離層側に、基材と粘着剤層とからなり、表面を情報表示部とするラベル片を仮着したラベルの貼付け方法であって、
前記ラベル片と台紙とを剥離した後、台紙の剥離層側を被着体に向け、剥離したラベル片を台紙裏面の一部に重ねて被着体に貼付け、ラベル片の表面および台紙裏面を情報表示部にすることを特徴とするラベルの貼付け方法。
【請求項２】
表面に剥離層を有する台紙の剥離層側に、基材と粘着剤層とからなり、表面を情報表示部とするラベル片を台紙一区画あたり複数枚仮着したラベルの貼付け方法であって、
前記複数枚のラベル片と台紙とを剥離した後、台紙の剥離層側を被着体に向け、剥離した複数枚のラベル片を台紙裏面の複数箇所にて台紙裏面から被着体にかけて貼付け、ラベル片の表面および台紙裏面を情報表示部にすることを特徴とするラベルの貼付け方法。
【請求項３】
表面に剥離層を有する台紙の剥離層側に、基材と粘着剤層とからなり、表面を情報表示部とするラベル片を台紙一区画あたり複数枚仮着したラベルの貼付け方法であって、
前記複数枚のラベル片のうち一部のラベル片を台紙から剥離した後、台紙の剥離層側を被着体に向け、剥離したラベル片を台紙裏面の複数箇所にて台紙裏面から被着体にかけて貼付け、台紙に留まるラベル片を隠蔽することを特徴とするラベルの貼付け方法。
【請求項４】
前記ラベルが、表面に剥離層を有する長尺帯状の台紙の剥離層側に、ラベル片が所定の間隔で仮着されたラベル連続体から一区画ずつ切り離されたものであることを特徴とする請求項１乃至３何れかに記載のラベルの貼付け方法。
【請求項５】
前記ラベル片の少なくとも一辺と、台紙の一辺との長さが等しいことを特徴とする請求項１乃至３何れかに記載のラベルの貼付け方法。
【請求項６】
前記台紙の裏面に情報を記録することを特徴とする請求項１乃至３何れかに記載のラベルの貼付け方法。
【発明の詳細な説明】
【技術分野】
【０００１】
本発明は、例えば、シールやラベルに付いている台紙を有効に活用するラベルの貼付け方法に関する。
【背景技術】
【０００２】
ラベルは多くの場面で様々な用途で使われている。例えば、荷札、表示札、値札、商品名の表示、内容物の表示のような用途がある。図６にラベル４１の断面図を示す。ラベル４１は表面に剥離層を設けた台紙４２の剥離層側に、ラベル基材４３と粘着剤層４４とからなるラベル片４５を仮着したものである。表面には、文字、画像、バーコード等の情報４８を印刷する場合もある。
【０００３】
ラベル片４５ごとに異なる情報を記録する場合は、図７に示すラベルロール４０を用いる。ラベルロール４０は長尺帯状の台紙４２の剥離面上に、ラベル基材４３と粘着剤層４４とからなるラベル片４５を一定間隔で配置したラベル連続体を円筒形の支管４７に巻き取ったものである。ラベルロール４０を電子プリンタ（不図示）にセットし、ラベル片４５ごとに所望の情報を印字してラベルを発行する。また、ロール状に限らず、一定間隔で葛折りし（不図示）、プリンタにセットすることもある。印字されたラベル片は、台紙より剥離して商品等の被着体に貼付される。残った台紙は、ラベル片の支持体としての役目を終え、廃棄される。
【０００４】
しかし台紙を廃棄することは、資源の無駄であり、不経済でもある。そこで、台紙を有効に活用するためにメモ紙として利用する方法が考案された（特許文献１参照。）。
【０００５】
【特許文献１】登録実用新案第３０１３５２０号公報
【発明の開示】
【発明が解決しようとする課題】
【０００６】
本発明はかかる課題を解決するためなされたもので、ラベルを貼付けた際に残る台紙を有効に活用できるラベルの貼付け方法を提供することを目的とする。
【課題を解決するための手段】
【０００７】
本発明は上記課題を解決すべく、以下に掲げる構成とした。
【０００８】
請求項１記載のラベルの貼付け方法は、表面に剥離層を有する台紙の剥離層側に、基材と粘着剤層とからなり、表面を情報表示部とするラベル片を仮着したラベルの貼付け方法であって、前記ラベル片と台紙とを剥離した後、台紙の剥離層側を被着体に向け、剥離したラベル片を台紙裏面の一部に重ねて被着体に貼付け、ラベル片の表面および台紙裏面を情報表示部にすることを特徴とする。
【０００９】
請求項２記載のラベルの貼付け方法は、表面に剥離層を有する台紙の剥離層側に、基材と粘着剤層とからなり、表面を情報表示部とするラベル片を台紙一区画あたり複数枚仮着したラベルの貼付け方法であって、前記複数枚のラベル片と台紙とを剥離した後、台紙の剥離層側を被着体に向け、剥離した複数枚のラベル片を台紙裏面の複数箇所にて台紙裏面から被着体にかけて貼付け、ラベル片の表面および台紙裏面を情報表示部にすることを特徴とする。
【００１０】
請求項３記載のラベルの貼付け方法は、表面に剥離層を有する台紙の剥離層側に、基材と粘着剤層とからなり、表面を情報表示部とするラベル片を台紙一区画あたり複数枚仮着したラベルの貼付け方法であって、前記複数枚のラベル片のうち一部のラベル片を台紙から剥離した後、台紙の剥離層側を被着体に向け、剥離したラベル片を台紙裏面の複数箇所にて台紙裏面から被着体にかけて貼付け、台紙に留まるラベル片を隠蔽することを特徴とする。
【００１１】
請求項４記載のラベルの貼付け方法は、ラベルが、表面に剥離層を有する長尺帯状の台紙の剥離層側に、ラベル片が所定の間隔で仮着されたラベル連続体から一区画ずつ切り離されたものであることを特徴とする。
【００１２】
請求項５記載のラベルの貼付け方法は、ラベル片の少なくとも一辺と、台紙の一辺との長さが等しいことを特徴とする。
【００１３】
請求項６記載のラベルの貼付け方法は、台紙の裏面に情報を記録することを特徴とする。
【発明の効果】
【００１４】
本発明のラベルの貼付け方法によれば、廃棄されていた台紙を情報表示部として有効に活用し、ラベルの表示面積を増大できる。台紙がゴミにならず、廃棄物を削減できる他、焼却に伴う二酸化炭素排出を抑制できるという効果もある。
【００１５】
さらに、情報を記録したラベル片を台紙に残した場合は、情報を記録したラベル片の表面が被着体側を向いた状態で被着体に貼付けられるため、個人情報などの情報を隠蔽することが可能になる。
【発明を実施するための最良の形態】
【００１６】
以下、本発明の実施の形態を図面に基づいて詳細に説明する。
【００１７】
図１にてラベルロール１０の斜視図を用いて、本発明のラベルの貼付け方法を説明する。図１に示すラベルロール１０は長尺帯状の台紙２の剥離層側に、基材３と粘着剤層４とからなるラベル片５を一定間隔で仮着したラベル連続体６を円筒形の支管８に巻き取ったものである。ラベル片５同士の隙間には、台紙２に切離し用のミシン目７が幅方向に沿って形成されている。
【００１８】
台紙２は汎用のものが使用できる。例えば、紙やフィルムに紫外線硬化型のシリコーン、熱硬化型のシリコーン、溶剤型のシリコーン、アルキルペンダントポリマーの他、フッ素系の剥離剤を塗工したものがあげられる。
【００１９】
基材３の種類や材質に関しては、紙や合成樹脂フィルムなど特に限定されるものではなく、粘着紙として一般的に用いられているものが使用可能である。例えば、上質紙、コート紙、アート紙のような紙基材、ＰＥＴ（ポリエチレンテレフタレート）、ＰＥ（ポリエチレン）、ＰＰ（ポリプロピレン）、ＰＳ（ポリスチレン）を素材とした合成樹脂フィルムや、前記の合成樹脂を複数種組み合わせたシート、合成樹脂フィルムと紙とを合わせた複合シートも使用できる。感熱紙（サーマル紙）を用いても構わない。
【００２０】
粘着剤４としては、例えば、ホットメルト系（熱可塑性を利用したもの）エマルジョン系（粘着剤を水に分散したもの）、ソルベント系（粘着剤を溶剤に溶解したもの）等が使用できる。材質としては、合成ゴム系や天然ゴム系、アクリル樹脂系、ポリビニルエーテル樹脂系、ウレタン樹脂系、シリコーン樹脂系等の粘着剤が使用可能である。
【００２１】
以下、印字用ロール紙に電子プリンタで可変情報を印字する方法を説明する。
図２は電子プリンタ５０の概略側面図である。電子プリンタ５０は、ロール紙供給部５１と印字部６１を筐体５２内に設けたものである。ロール紙供給部５１の軸５５にはラベルロール１０が回転可能に支持されている。ラベル連続体４６の走行経路に沿って、ガイドバー５６、ラベル連続体４６の有無を検知する用紙センサ５７、ラベルのインターバルを検出するピッチセンサ５８が取り付けられている。その下流の印字部６１は、プラテンローラ６２と、前記プラテンローラ６２とともにラベル連続体４６を押圧保持するサーマルヘッド６３、それらの下流のカッタユニット６４で構成される。筐体５２には、カッタユニット６４に隣接して発行口６５が設けられる。
【００２２】
プラテンローラ６２が回転すると、ラベルロール１０から巻き出されたラベル連続体６は、ガイドバー５６、用紙センサ５７、ピッチセンサ５８を経て印字部６１に至り、各ラベル４５にサーマルヘッド６３の発熱走査で文字やバーコード等の画像が印字される。印字が行なわれたラベル４５は、連続したまま、あるいは、カッタユニット６４でカットされて発行口６５から外部に排出される。
【００２３】
次に、図３を用いて本発明のラベルの貼付け方法を説明する。図３（ａ）は電子プリンタで送り先等の情報２１が印字されたラベル１の正面図である。
【００２４】
ラベル片５を角部１５を摘んで矢印のように台紙２から剥がす。残った台紙２を表裏反転して剥離層側を図３（ｂ）に示す被着体３０に向け、台紙２裏面の端部２５にラベル片５を重ねた状態で、ラベル片５を被着体である梱包箱３０に貼付ける。この一連の作業により、台紙２の裏面も情報表示部として使用できるようになるため、ラベル片５のみの表示面積と比べて情報表示部の面積は２倍弱（ラベル片５と台紙２の合計から重なり部分を差し引いた面積）に拡がる。台紙２裏面の情報表示部は、取扱方法や注意書き等の情報を予め印刷しておいても、両面プリンタ（不図示）で可変情報を印字する等の使い方ができる。もちろん手書きしても良い。
【００２５】
図４は一区画の台紙２に対して複数枚のラベル片５ａ・５ｂを設けた例である。
【００２６】
図４（ａ）のようにラベル片５ａ・５ｂそれぞれの角部１５ａ・１５ｂを摘んで剥がし、図４（ｂ）に示すように台紙２の対向する２つの端部に重ね、梱包箱３０に貼付ける。この場合もラベル片５ａ・５ｂと台紙２の情報表示部の合計面積は、ラベル５ａ・５ｂの２倍弱に増える。さらに、このように台紙２を対向する２つの辺で被着体３０に貼付けると、台紙２が被着体３０から浮き上がることなく保持され、荷札として用いる場合には輸送中にちぎれたり破れるリスクが低減される。
【００２７】
図５（ａ）は一区画の台紙２に対して複数枚のラベル片３５ａ・３５ｂ・３５ｃを設けた例である。ラベル片３５ａと３５ｂには送り先等の情報２１が記録されている。中央のラベル片３５ｃには、人名、お買い上げ明細などのプライバシーに関わる個人情報２３が記録されている。
【００２８】
このラベル１は次のように使用する。両端のラベル片３５ａ・３５ｂの角部を摘んで剥がす。中央のラベル片３５ｃは剥がさずに台紙２上に留め置く。この状態で台紙２の剥離層側、即ちラベル片３５ｃを被着体３０に向け、図５（ｂ）に示すようにラベル片３５ａ・３５ｂで台紙２の上下２辺を留め、被着体３０に貼付ける。この場合も台紙２が被着体３０から浮き上がることなく保持され。
【００２９】
また、ラベル片３５ｃ表面の個人情報２３は被着体である梱包箱３０に向いているために目視不可能になり、情報が保護されプライバシーが守られる。台紙２の裏面に情報を記録しても良いが、図５（ｂ）のように地紋３６等を印刷しておけば、個人情報２３の隠蔽性が向上する。
【００３０】
さらに、図３〜図５で説明したラベルのように、台紙２の幅とラベル片の幅を等しくしておけば、ラベル片で台紙を被着体に留める際に位置決めし易いことに加え、貼付けた後も見た目が良い。
【００３１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００３２】
【図１】本発明の実施の形態に係るラベルロールの斜視図。
【図２】本発明の実施の形態に係るラベルロールの印字発行動作を説明する電子プリンタの概略側面図。
【図３】（ａ），（ｂ）  本発明の実施の形態に係るラベルの平面図と、その貼付け方法を説明する説明図
【図４】（ａ），（ｂ）  本発明の別な実施の形態に係るラベルの平面図と、その貼付け方法を説明する説明図
【図５】（ａ），（ｂ）  本発明の別な実施の形態に係るラベルの平面図と、その貼付け方法を説明する説明図
【図６】従来のラベルの断面図。
【図７】従来のラベルロールの全体を示す斜視図。
【符号の説明】
【００３３】
１・４５  ラベル
２  台紙
３  基材
４  粘着剤層
５・５ａ・５ｂ・３５ａ・３５ｂ・３５ｃ  ラベル片
６  ラベル連続体
６ａ  端部
７  ミシン目
８・４７  支管
１０・４０  ラベルロール
１５・１５ａ・１５ｂ  角部
２１・２２・２３  情報
３０  被着体（梱包箱）
４２  台紙
４３  ラベル基材
４４  粘着剤層
５０  電子プリンタ
５１  ロール紙供給部
５２  筐体
５５  軸
５６  ガイドバー
５７  用紙センサ
５８  ピッチセンサ
６１  印字部
６２  プラテンローラ
６３  サーマルヘッド
６４  カッタユニット
６５  発行口
【図１】
2010107865.tif 000003
【図２】
2010107865.tif 000004
【図３】
2010107865.tif 000005
【図４】
2010107865.tif 000006
【図５】
2010107865.tif 000007
【図６】
2010107865.tif 000008
【図７】
2010107865.tif 000009